(57)【要約】【課題】組付状態が安定であり構成が簡易で軽量な電柱組付式作業台を提供する。【解決手段】電柱１に突設されたステップボルト２に抜け止め状態に係止する係止孔３を上部に有する支持板４と、支持板４における前記係止孔３よりも下方の前面に略直交する方向に取り付けられる作業台５と、ステップボルト２のボルトヘッド２ａと支持板４の間に着脱自在に間装される間装部材６と、支持板４の裏面に取り付けられて前記電柱１の側面に押圧状態で当接する弾発部材よりなる滑り止め部材７と、滑り止め部材７を挟む前記支持板４の両側にそれぞれ一端を固定されて前記電柱１に巻回された状態で他端同士が掛脱自在に掛け合わされる締結バンド８Ａ、８Ｂと、を備えている。【選択図】  図１
2007211476.tif 000002
【特許請求の範囲】
【請求項１】
電柱（１）に突設されたステップボルト（２）に抜け止め状態に係止する係止孔（３）を有する支持板（４）と、
前記支持板（４）における前記係止孔（３）よりも下方の前面に略直交する方向に取り付けられる作業台（５）と、
前記ステップボルト（２）のボルトヘッド（２ａ）と前記支持板（４）の間に着脱自在に間装される間装部材（６）と、
前記支持板（４）の裏面に取り付けられて前記電柱（１）の側面に押圧状態で当接する弾発部材よりなる滑り止め部材（７）と、
前記滑り止め部材（７）を挟む前記支持板（４）の両側にそれぞれ一端を固定されて前記電柱（１）に巻回された状態で他端同士が掛脱自在に掛け合わされる締結バンド（８Ａ）（８Ｂ）と、を備えてなることを特徴とする電柱組付式作業台。
【請求項２】
前記係止孔（３）は、前記ステップボルト（２）のボルトヘッド（２ａ）の径よりも幅が狭く形成されて前記ステップボルト（２）の軸部（２ｂ）に係止状態に係止する長孔部（３ａ）と、前記ステップボルト（２）のボルトヘッド（２ａ）の外径よりも径大に形成される大径部（３ｂ）と、が上下に連なるように形成されることを特徴とする請求項１に記載の電柱組付式作業台。
【請求項３】
前記間装部材（６）は、半割れ状に形成された一対のスリーブ構成体（６ａ）（６ｂ）からなり、一方の前記スリーブ構成体（６ａ）の一側辺は、蝶番（９）を介して、他方の前記スリーブ構成体（６ｂ）の一側辺に相対回動自在に連結され、一方の前記スリーブ構成体（６ａ）の他側辺は、係脱自在な係止部材（１０）により、他方の前記スリーブ構成体（６ｂ）の他側辺に係脱自在に係止されることを特徴とする請求項１又は２に記載の電柱組付式作業台。
【請求項４】
電柱（１）に突設されたステップボルト（２）に抜け止め状態に係止する係止孔（３）を有する支持板（４）と、
前記支持板（４）における前記係止孔（３）よりも下方の前面に略直交する方向に取り付けられる作業台（５）と、
前記支持板（４）の裏面に上下に所定の間隔をおいて取り付けられて前記電柱（１）の側面に押圧状態で当接する弾発部材よりなる複数の滑り止め部材（７）（７）と、
前記滑り止め部材（７）を挟む前記支持板（４）の両側にそれぞれ一端を固定されて前記電柱（１）に巻回された状態で他端同士が掛脱自在に掛け合わされる複数対の締結バンド（８Ａ）（８Ｂ）と、を備えてなることを特徴とする電柱組付式作業台。
【請求項５】
前記係止孔（３）は、前記ステップボルト（２）のボルトヘッド（２ａ）の径よりも幅が狭く形成されて前記ステップボルト（２）の軸部（２ｂ）に係止状態に係止する長孔部（３ａ）と、前記ステップボルト（２）のボルトヘッド（２ａ）の外径よりも径大に形成される大径部（３ｂ）と、が上下に連なるように形成されることを特徴とする請求項４に記載の電柱組付式作業台。
【請求項６】
前記複数の滑り止め部材（７）（７）は、前記作業台（５）を挟む前記支持板（４）の上下の位置にそれぞれ取り付けられることを特徴とする請求項４又は５に記載の電柱組付式作業台。
【発明の詳細な説明】
【技術分野】
【０００１】
本発明は、電柱に簡易に組み付けられる電柱組付式作業台に関する。
【背景技術】
【０００２】
電柱等に簡易に組み付けられる足場として、従来、例えば、板金材を折曲してなる足場部材の両側に取り付けたバンド状のチェーンを電柱のステップボルトの上側に巻き付けて足場部材を固定するようにした携帯補助足場が提案されている（例えば、特許文献１参照）。また、表面に跨板を水平に棚付けした板部材の上下両端に締め付けバンドを取り付けると共に、その板部材には、電柱のステップボルトに嵌め込まれるボルト受筒を貫着し、そのボルト受筒をステップボルトに嵌め込んだ状態にて締め付けバンドを締結することで、電柱に取り付けられるようにした簡易電柱上足場も提案されている（例えば、特許文献２参照）。
【特許文献１】実開平６−９３１３号公報
【特許文献２】実開平６−４４９５４号公報
【発明の開示】
【発明が解決しようとする課題】
【０００３】
しかし、上述のチェーンで固定される携帯補助足場（特許文献１）では、チェーンを電柱の単一のステップボルトの上側に巻き付けているだけであるから、足場部材が不安定になりやすいという問題がある。また、チェーン等の金属材を用いているため重量が大になるという問題もある。跨板を水平に棚付けした板部材に取り付けられたボルト受筒をステップボルトに嵌め込むようにした簡易電柱上足場（特許文献２）においても、構成が複雑で重量が大になるという問題がある。
【０００４】
本発明は、このような実情に鑑みてなされ、組付状態が安定であり構成が簡易で軽量な電柱組付式作業台を提供することを目的とする。
【課題を解決するための手段】
【０００５】
（１）本発明の電柱組付式作業台は、電柱１に突設されたステップボルト２に抜け止め状態に係止する係止孔３を上部に有する支持板４と、
前記支持板４における前記係止孔３よりも下方の前面に略直交する方向に取り付けられる作業台５と、
前記ステップボルト２のボルトヘッド２ａと前記支持板４の間に着脱自在に間装される間装部材６と、
前記支持板４の裏面に取り付けられて前記電柱１の側面に押圧状態で当接する弾発部材よりなる滑り止め部材７と、
前記滑り止め部材７を挟む前記支持板４の両側にそれぞれ一端を固定されて前記電柱１に巻回された状態で他端同士が掛脱自在に掛け合わされる締結バンド８Ａ、８Ｂと、を備えてなることを特徴とする。
【０００６】
このような構成によれば、支持板４の係止孔３を電柱１のステップボルト２に抜け止め状態に係止させて、ステップボルト２のボルトヘッド２ａと支持板４の間に間装部材６を間装し、締結バンド８Ａ、８Ｂを電柱１に巻回させて締結すると、電柱組付式作業台の電柱１への組付けが終了する。
【０００７】
組付けられた状態では、間装部材６と滑り止め部材７によって支持板４が安定な状態に電柱１に組み付けられるため、作業台５に載った作業者の足場状態が安定化する。また、支持板４には電柱１のステップボルト２に係止させるための係止孔３を形成するのみであるから、構成が簡易であり軽量なものとなり取り扱いやすく高い利便性が得られる。
【０００８】
（２）前記係止孔３は、前記ステップボルト２のボルトヘッド２ａの径よりも幅が狭く形成されて前記ステップボルト２の軸部２ｂに係止状態に係止する長孔部３ａと、前記ステップボルト２のボルトヘッド２ａの外径よりも径大に形成される大径部３ｂと、が上下に連なるように形成されてもよい。このようにすれば、大径部３ｂをステップボルト２に嵌め込み長孔部３ａをステップボルト２の軸部２ｂに係止させると、支持板４がステップボルト２に安定に係止された状態となる。
【０００９】
（３）前記間装部材６は、半割れ状に形成された一対のスリーブ構成体６ａ、６ｂからなり、一方の前記スリーブ構成体６ａの一側辺は、蝶番９を介して、他方の前記スリーブ構成体６ｂの一側辺に相対回動自在に連結され、一方の前記スリーブ構成体６ａの他側辺は、係脱自在な係止部材１０により、他方の前記スリーブ構成体６ｂの他側辺に係脱自在に係止されるようにしてもよい。このようにすれば、作業者が間装部材６をステップボルト２に対して容易に間装させることができ、かつ、係止部材１０により、両スリーブ構成体６ａ、６ｂを安定な係止状態に保持することができる。
【００１０】
（４）本発明の別の電柱組付式作業台は、電柱１に突設されたステップボルト２に抜け止め状態に係止する係止孔３を上部に有する支持板４と、
前記支持板４における前記係止孔３よりも下方の前面に略直交する方向に取り付けられる作業台５と、
前記支持板４の裏面に上下に所定の間隔をおいて取り付けられて前記電柱１の側面に押圧状態で当接する弾発部材よりなる複数の滑り止め部材７，７と、
前記滑り止め部材７を挟む前記支持板４の両側にそれぞれ一端を固定されて前記電柱１に巻回された状態で他端同士が掛脱自在に掛け合わされる複数対の締結バンド８Ａ、８Ｂと、を備えてなることを特徴とする。
【００１１】
このような構成によれば、支持板４の係止孔３を電柱１のステップボルト２に抜け止め状態に係止させて、複数対の締結バンド８Ａ、８Ｂを電柱１に巻回させて締結すると、電柱組付式作業台の組付けが終了する。
【００１２】
組付けられた状態では、ステップボルト２に係止された支持板４が複数対の締結バンド８Ａ、８Ｂによって安定な状態に電柱１に組み付けられているため、作業台５に載った作業者の足場状態が安定化する。また、支持板４には電柱１のステップボルト２に係止させるための係止孔３を形成するのみであるから、構成が簡易であり軽量なものとなり取り扱いやすく高い利便性が得られる。
【００１３】
（５）前記係止孔３は、前記ステップボルト２のボルトヘッド２ａの径よりも幅が狭く形成されて前記ステップボルト２の軸部２ｂに係止状態に係止する長孔部３ａと、前記ステップボルト２のボルトヘッド２ａの外径よりも径大に形成される大径部３ｂと、が上下に連なるように形成されてもよい。このようにすれば、大径部３ｂをステップボルト２に嵌め込み長孔部３ａをステップボルト２の軸部２ｂに係止させると、支持板４がステップボルト２に安定に係止された状態となる。
【００１４】
（６）前記複数の滑り止め部材７，７は、前記作業台５を挟む前記支持板４の上下の位置にそれぞれ取り付けられてもよい。このようにすれば、電柱１に対する作業台５の組付状態が安定化する。
【発明の効果】
【００１５】
本発明の電柱組付式作業台は、間装部材と滑り止め部材によって支持板が安定な状態に電柱に組み付けられるため、作業台に載った作業者の足場状態が安定化する。また、支持板には電柱のステップボルトに係止させるための係止孔を形成するのみであるから、構成が簡易であり軽量なものとなり取り扱いやすく高い利便性が得られる。
【００１６】
本発明の別の電柱組付式作業台は、ステップボルトに係止された支持板が複数対の締結バンドによって安定な状態に電柱に組み付けられているため、作業台に載った作業者の足場状態が安定化する。また、支持板には電柱のステップボルトに係止させるための係止孔を形成するのみであるから、構成が簡易であり軽量なものとなり取り扱いやすく高い利便性が得られる。
【発明を実施するための最良の形態】
【００１７】
以下に、本発明の最良の実施の形態に係る電柱組付式作業台について図面を参照しつつ詳細に説明する。
〔実施の形態１〕
図１は電柱に組み付けた状態の電柱組付式作業台Ｓ１の側面図、図２（ａ）は電柱組付式作業台の側面図、（ｂ）は背面図、図３（ａ）は間装部材の斜視図、（ｂ）は異なる方向から見た斜視図である。これらの図にて、符号１は電柱、２は電柱１に突設されたステップボルト、４は支持板、３は支持板４の上部に形成された係止孔で、ステップボルト２に被嵌して抜け止め状態に係止する。５は作業台で、支持板４における係止孔３よりも下方の前面に略直交する方向に突出した状態に取り付けられ、その下部が補強材５ａによって補強支持されている。
【００１８】
係止孔３は、ステップボルト２のボルトヘッド２ａの径よりも幅が狭く形成されてステップボルト２の軸部２ｂに係止状態に係止する長孔部３ａと、ステップボルト２のボルトヘッド２ａの外径よりも径大に形成される大径部３ｂと、が上下に連なるように形成され、大径部３ｂをステップボルト２に嵌め込み長孔部３ａをステップボルト２の軸部２ｂに係止させることによって、支持板４をステップボルト２に安定に係止された状態で吊持させることができる。
【００１９】
６は間装部材（スリーブ）で、ステップボルト２のボルトヘッド２ａと支持板４の間に着脱自在に間装され、ステップボルト２に係止された支持板４をガタつかせることなく電柱１に対して安定な固定状態に保持する。７は、例えば、ゴム体等の弾発部材からなる滑り止め部材で、支持板４の裏面に取り付けられて前記電柱１の側面に押圧状態で当接する。８Ａ，８Ｂは締結バンドで、滑り止め部材７を挟む支持板４の両側にそれぞれ一端を固定されて電柱１に巻回された状態で他端同士が掛脱自在に掛け合わされ、支持板４を滑り止め状態に電柱１に対して締結固定する。
【００２０】
間装部材６は、図３に示すように、半割れ状に形成された一対のスリーブ構成体６ａ，６ｂからなり、一方のスリーブ構成体６ａの一側辺は、蝶番９を介して、他方のスリーブ構成体６ｂの一側辺に相対回動自在に連結され、一方のスリーブ構成体６ａの他側辺は、係脱自在な係止部材１０により、他方のスリーブ構成体６ｂの他側辺に係脱自在に係止される。係止部材１０は、一方のスリーブ構成体６ａに回動自在に設けられた係止爪１０ａが、他方のスリーブ構成体６ｂに突設された係止ピン１０ｂに係脱自在に係止するように構成される。
【００２１】
このような構成によれば、支持板４の係止孔３を電柱１のステップボルト２に抜け止め状態に係止させて、ステップボルト２のボルトヘッド２ａと支持板４の間に間装部材６を間装し、締結バンド８Ａ、８Ｂを電柱１に巻回させて締結すると、電柱組付式作業台の電柱１への組付けが終了する。間装部材６は、両スリーブ構成体６ａ，６ｂを開いた状態として、ステップボルト２の軸部２ｂに嵌め込み閉じ合わせた状態にて、係止爪１０ａを係止ピン１０ｂに係止させると、間装状態を安定に保持することができる。
【００２２】
組付けられた状態では、間装部材６によって支持板４がガタつくことなく固定され、かつ、滑り止め部材７によって支持板４が安定な滑り止め状態で電柱１に組み付けられるため、作業台５に載った作業者の足場状態が安定化する。このような電柱組付式作業台は、支持板４に、電柱１のステップボルト２に係止させるための係止孔３を形成するのみであるから、構成が簡易であり軽量なものとなり取り扱いやすく高い利便性が得られる。
【００２３】
〔実施の形態２〕
図４は電柱に組み付けた状態の別の電柱組付式作業台Ｓ２の側面図である。なお、前実施の形態と同一又は同等部材については同一符号を付して説明を省略する。この電柱組付式作業台Ｓ２は、支持板４の裏面に、弾発部材よりなる２つの滑り止め部材７，７が上下に所定の間隔をおいて取り付けられ、その滑り止め部材７，７を挟む支持板４の両側にそれぞれ２対の締結バンド８Ａ、８Ｂを備えており、前実施の形態のような間装部材は設けられていない。
【００２４】
このような構成によれば、支持板４の係止孔３を電柱１のステップボルト２に抜け止め状態に係止させて、２対の締結バンド８Ａ、８Ｂを電柱１に巻回させて締結すると、電柱組付式作業台Ｓ２の組付けが終了する。組付けられた状態では、ステップボルト２に係止された支持板４が２対の締結バンド８Ａ、８Ｂによって安定な状態に電柱１に組み付けられているため、作業台５に載った作業者の足場状態が安定化する。また、支持板４には電柱１のステップボルト２に係止させるための係止孔３を形成するのみであるから、構成が簡易であり軽量なものとなり取り扱いやすく高い利便性が得られる。
【００２５】
なお、本発明は、実施の形態に限定されることなく、発明の要旨を逸脱しない限りにおいて、適宜、必要に応じて、設計変更や改良等を行うのは自由であり、例えば、滑り止め部材７と締結バンド８Ａ、８Ｂは、支持板４における係止孔３よりも上の部分に取り付けられてもよい。
【図面の簡単な説明】
【００２６】
【図１】本発明の実施の形態１に係る電柱組付式作業台の側面図である。
【図２】（ａ）は同電柱組付式作業台の正面図、（ｂ）は背面図である。
【図３】（ａ）は同間装部材の斜視図、（ｂ）は異なる方向から見た斜視図である。
【図４】本発明の実施の形態２に係る電柱組付式作業台の側面図である。
【符号の説明】
【００２７】
１…電柱、２…ステップボルト、２ａ…ボルトヘッド、２ｂ…軸部、３…係止孔、３ａ…長孔部、３ｂ…大径部、４…支持板、５…作業台、６…間装部材、６ａ，６ｂ…スリーブ構成体、７…滑り止め部材、８Ａ、８Ｂ…締結バンド、９…蝶番、１０…係止部材
【図１】
2007211476.tif 000003
【図２】
2007211476.tif 000004
【図３】
2007211476.tif 000005
【図４】
2007211476.tif 000006